(57)【要約】【課題】弁構造を備えた液口栓を備えた鉛蓄電池では、弁構造を備えるがために液口栓が専用のものとなり、弁構造を備えない液口栓と共用できず、鉛蓄電池の製造コスト低減の障害となっていた。【解決手段】電池外装に設けた液口に、電池内部のガスを電池外部に排出するための通気孔を備えた液口栓を装着し、正極板面と負極板面の全面が電解液に浸漬した鉛蓄電池において、液口栓の本体筒の内部に本体筒とは別体で設けられ、かつ電池内圧に応じ、一端から他の一端にかけて通気経路を形成する制御弁部を装着する。【選択図】図１
2006294290.tif 000002
【特許請求の範囲】
【請求項１】
電池外装に設けた液口に電池内部のガスを電池外部に排出するための通気孔を備えた液口栓を装着し、
かつ正極板面と負極板面の全面が電解液に浸漬した鉛蓄電池であって、
前記液口栓の本体筒の内部に前記本体筒とは別体で設けられ、かつ電池内圧に応じ、一端に設けた排気口から他の一端に設けた通気口にかけて通気経路を形成する制御弁部を装着したことを特徴とする鉛蓄電池。
【請求項２】
前記制御弁部は、排気孔を有した底壁と底壁周囲に設けられた側壁とからなる弁収納体と、
前記弁収納体内において、前記排気孔を覆うよう配置された弁体と、
前記弁体上に配置され、かつその一部が前記側壁と接合した押え板とからなることを特徴とする請求項１に記載の鉛蓄電池。
【請求項３】
前記弁体と前記押え板間に弾性体が介挿されたことを特徴とする請求項２に記載の鉛蓄電池。
【請求項４】
前記制御弁部は、排気孔を有した底壁と、
前記底壁周囲に設けられた側壁と、
前記排気孔開口部から前記側壁の突出方向と同方向に突出して設けた弁筒と、
前記弁筒に装着されたキャップ状弁体と、
前記キャップ状弁体の天面上方に配置され、かつその一部が前記側壁と接合された押え板とからなることを特徴とする請求項１に記載の鉛蓄電池。
【請求項５】
前記本体筒内において、前記通気孔と前記制御弁部との経路上に通気性を有した多孔質フィルタを配置したことを特徴とする請求項１〜４に記載の鉛蓄電池。
【請求項６】
前記押え板は通気性を有した多孔質体からなる請求項２〜４に記載の鉛蓄電池。
【請求項７】
前記本体筒内において、前記排気孔に対向した防沫板を配置したことを特徴とする請求項１〜６に記載の鉛蓄電池。
【発明の詳細な説明】
【技術分野】
【０００１】
本発明は鉛蓄電池に関するものである。
【背景技術】
【０００２】
鉛蓄電池は、自動車の始動用をはじめ、様々な用途に用いられている。特に自動車始動用の鉛蓄電池は、正・負の両極板面がすべて電解液（希硫酸）に浸漬された状態とし、かつ電池内と電池外とを連通する液口栓（排気栓）を液口に装着した、いわゆる液式の鉛蓄電池が主流である。また一部では、電解液から露出させた負極板に電池内で発生した酸素ガスを吸収させる、負極吸収式の制御弁式鉛蓄電池も用いられている。
【０００３】
負極吸収式の制御弁式鉛蓄電池は、充電時に正極板から発生した酸素ガスを負極板上で吸収することにより、負極板上での水素発生が抑制されるため、電解液中の水分の電気分解と、これによる電解液中の水分減少が抑制される。
【０００４】
しかしながら、負極板を電解液から露出させることが必要となるため、液式鉛蓄電池に比較して、電解液量が制限され、結果として、放電容量が制限されるという問題がある。
【０００５】
一方、液式の鉛蓄電池では、正・負の両極板が電解液中に浸漬されることにより、極板周囲の電解液が制御弁式鉛蓄電池に比較して多く設定することができるため、放電容量の面で有利である。
【０００６】
液式鉛蓄電池は、放電容量の面で、制御弁式鉛蓄電池に比較して有利であるが、電池内に滞留した酸素・水素ガスは、液口栓に設けられた排気孔を通して排出されるため、制御弁式鉛蓄電池に比較して、電解液中の水分減少（減液）量が多い。
【０００７】
液口栓を通しての水分減少は、上述したような、電解液水分の電気分解とともに、蒸発によっても進行する。特に自動車始動用の鉛蓄電池は、高温のエンジンルーム内に設置されることも多く、水分蒸発がより促進される使用条件下にある。
【０００８】
また、車両走行時の加減速や振動により発生する電解液面の揺動や、車両側のオルタネータによる充電によって発生する酸素・水素ガスの電解液面からの脱泡によって発生する電解液ミストが排気孔を通して電池外部に散逸することによっても減液が進行する。
【０００９】
このような電解液中の水分減少を抑制するために、例えば特許文献１には、液口栓内の排気経路に多孔体を設け、多孔体による圧力損出や孔径を制御することが示されている。
【００１０】
これにより、電池内の電解液ミストや、蒸発水分を有した気体（空気および酸素・水素ガス）が容易に外部の気体（空気）と置換されず、また、多孔体内で電解液ミストや蒸発水分が結露して電池内部に還流することにより、電池内の水分減少を抑制するものである。
【００１１】
排気経路に設けた多孔体により、電解液の水分減少をある程度まで抑制できるものの、電池内外は常に排気経路が形成されているために、特に４０℃を超えるような雰囲気温度下での保存や使用に際して、依然として電解液の減液量は多いものであった。
【００１２】
一方、特許文献２には、制御弁を備え、正負極板を電解液にすべて浸漬した状態とした電池が示されている。特許文献２では、注液口に制御弁を取り付けるため、容易に補液ができない構造となっており、使用中に電解液が減少した場合には、補液ができない故に放電容量の大幅低下は避けられないものである。
【００１３】
さらに、特許文献３には、液口栓内に制御弁構造を設けた鉛蓄電池が示されている。しかしながら、液口栓と弁構造とが一体に設けられているがために、従来からの弁構造を有さない液口栓とは共用化できない。したがって全く別の部品となるがために、鉛蓄電池のコスト低減の障害となっていた。
【特許文献１】特開平７−２２０７０６号公報
【特許文献２】特開２００３−１４２１４８号公報
【特許文献３】特開２００３−３４６７８１号公報
【発明の開示】
【発明が解決しようとする課題】
【００１４】
本発明は、前記したような、正・負の両極板のすべてが電解液に浸漬した状態とした鉛蓄電池において、液口栓内に弁構造を設ける際、従来の弁構造を有していない液口栓との部品の共用化を可能とし、これによる部品在庫管理の負担低減および鉛蓄電池の製造コスト低減を目的とするものである。
【課題を解決するための手段】
【００１５】
前記した課題を解決するために、本発明の請求項１に係る発明は、電池外装に設けた液口に、電池内部のガスを電池外部に排出するための通気孔を備えた液口栓を装着し、かつ正極板面と負極板面の全面が電解液に浸漬した鉛蓄電池であって、前記液口栓の本体筒の内部に前記本体筒とは別体で設けられ、かつ電池内圧に応じ、一端に設けた排気口から他の一端に設けた通気口にかけて通気経路を形成する制御弁部を装着したことを特徴とする鉛蓄電池を示すものである。
【００１６】
さらに、本発明の請求項２に係る発明は、請求項１の鉛蓄電池において、前記制御弁部は、排気孔を有した底壁と底壁周囲に設けられた側壁とからなる弁収納体と、前記弁収納体内において、前記排気孔を覆うよう配置された弁体と、前記弁体上に配置され、かつその一部が前記側壁と接合した押え板とからなることを特徴とする。
【００１７】
また、本発明の請求項３に係る発明は、請求項２の鉛蓄電池において、前記弁体と前記押え板間に弾性体が介挿されたことを特徴とする。
【００１８】
また、本発明の請求項４に係る発明は、請求項１の鉛蓄電池において、前記制御弁部は、排気孔を有した底壁と、前記底壁周囲に設けられた側壁と、前記排気孔開口部から前記側壁の突出方向と同方向に突出して設けた弁筒と、前記弁筒に装着されたキャップ状弁体と、前記キャップ状弁体の天面上方に配置され、かつその一部が前記側壁と接合された押え板とからなることを特徴とする。
【００１９】
さらに、本発明の請求項５に係る発明は、請求項１〜４の鉛蓄電池において、前記本体筒内において、前記通気孔と前記制御弁部との経路上に通気性を有した多孔質フィルタを配置したことを特徴とする。
【００２０】
また、本発明の請求項６に係る発明は、請求項２〜４の鉛蓄電池において、前記押え板は通気性を有した多孔質体からなることを特徴とする。
【００２１】
そして、本発明の請求項７に係る発明は、請求項１〜６の鉛蓄電池において、前記本体筒内において、前記排気孔に対向した防沫板を配置したことを特徴とする。
【発明の効果】
【００２２】
本発明によれば、液口栓内に弁構造を設けたものと、設けないものの部品共用化が可能となり、鉛蓄電池の製造コストを低減するという顕著な効果を奏する。
【発明を実施するための最良の形態】
【００２３】
以下、本発明の実施の形態を説明する。
【００２４】
（第１の実施形態）
図１は、本発明の実施形態による鉛蓄電池の要部断面を示す図である。
【００２５】
本発明の鉛蓄電池１０は、電池外装に設けた液口１１に、電池内部のガスを電池外部に排出するための通気孔１２を備えた液口栓１３が装着されている。なお、図１に示した例では、電池外装としての蓋１４に液口１１を設けた例を示している。
【００２６】
鉛蓄電池１０の電槽１５内に収納された、正極板１６、負極板１７およびセパレータ１８において、正極板１６の極板面と負極板１７の極板面の全面が電解液１９に浸漬した構成を有している。
【００２７】
本発明の鉛蓄電池１０では、液口栓１３の本体筒２０の内部には、本体筒２０とは別体で設けられ、かつ電池内圧に応じ、一端に設けた排気孔２２から他の一端に設けた通気口２８にかけて通気経路を形成（開弁）する制御弁部２１が装着されている。
【００２８】
制御弁部２１が本体筒２０とは個別に設けられているために、本体筒２０を制御弁部２１を有さない液口栓と共用できる。そして、制御弁部を備えた液口栓を製造する際に専用の本体筒を必要としないため、鉛蓄電池の製造コストを顕著に低減することができる。また部品在庫管理の負担を低減することもできる。
【００２９】
なお、本発明の鉛蓄電池１０は、正・負の極板面がすべて電解液１９に浸漬した電池であり、正極板で発生した酸素ガスを負極板で吸収させる、いわゆる酸素ガス吸収反応を進行させるものではないため、制御弁部２１の開弁圧を酸素ガス吸収式の制御弁式鉛蓄電池における制御弁の開弁弁（１０ｋＰａ〜２０ｋＰａ程度）よりも低く設定すればよい。
【００３０】
本発明の鉛蓄電池１０では、過充電時に電池内で発生する酸素・水素ガスによる電池内圧の上昇により制御弁部２１が開弁し、一端に設けた排気孔２２から他の一端部に設けた通気口２８に通気経路が形成させる。酸素ガス・水素ガスは電池内部ｃから制御弁部２１と通気孔１２を通過して電池外ｄに放出される。
【００３１】
一方、通常の充電時や放電時において、制御弁部２１は閉じられ、電池内部ｃで充電時のガス発生により生じた電解液ミストや、鉛蓄電池に加わる振動によって生じる電解液ミストは、容易に電池外ｄに放出されない。また、電池内部ｃの気体（空気が主体）は電解液１９と接しているため、水分を電池外ｄの外気と比較して多く溶け込ませている。このような電池内部ｃの気体も電池外ｄの外気と容易に置換されないため、従来の液式鉛蓄電池で発生していた減液を抑制することができる。
【００３２】
また、電解液面に極板が浸漬されているため、電池外ｄから酸素ガスが電池内部ｃに侵入した場合でも、電解液量の制限された、負極吸収式鉛蓄電池で発生するような、負極板の酸化反応は発生しない。したがって、制御弁部２１は電池内部ｃ内の水蒸気や電解液ミストの電池外ｄへの散逸が抑制できる程度の密閉性を有しておればよい。
【００３３】
制御弁部２１の本体筒２０内の装着方式は様々な方式が考えられるが、制御弁部２１の外径を本体筒２０の内径よりも若干大きく設定し、制御弁部２１を本体筒２０内に圧入して装着することができる。本体筒２０および制御弁部２１の本体筒２０と接する部分をポリプロピレン樹脂やポリエチレン樹脂といった、圧入固定に適した弾性を有する合成樹脂材で構成すればよい。
【００３４】
また、他の方法としては、制御弁部２１の外周に雄ネジ、本体筒２０内周に雌ネジを形成し、両者を螺合して制御弁部２１を本体筒内に装着してもよい。なお、液口栓１３と蓋１４との気密性確保や緩み防止のためのパッキン２を適宜用いることができる。
【００３５】
（第２の実施形態）
本発明の第２の実施形態例では、前記した本発明の鉛蓄電池１０における制御弁部２１の好ましい構成を示す。
【００３６】
図２は、制御弁部２１の断面を示す図、図３は制御弁部２１の各構成要素を分解状態とした組立図である。
【００３７】
制御弁部２１は、排気孔２２を有した底壁２３と底壁２３の周囲に設けられた側壁２４とからなる弁収納体２５と、この弁収納体２５内において、排気孔２２を覆うよう配置された弁体２６と、この弁体２６上に配置され、かつその一部が側壁２４と接合した押え板２７とからなる。
【００３８】
弁体２６はその厚み方向に弾性を有しており、押え板２７によって、排気孔２２と弁体２６面とが密着している。また、押え板２７の一部には通気用の切欠２７ａが設けられ、通気口２８が提供される。
【００３９】
電池内部ｃの圧力が上昇した場合には、内圧により弁体２６が圧縮され、排気孔２２周囲の底壁２３と弁体２６との間に隙間が生じ、排気孔２２−通気口２８間、すなわち、制御弁部２１の一端ａ−一端ｂ間に通気経路が形成される。電池内部ｃに滞留したガスは通気経路を介して電池外ｂに散逸し、電池内圧が低下して、弁体２６と排気孔２２周囲の底壁との密着が復元する。
【００４０】
弁体２６は厚み方向に弾性を有し、かつ耐酸性の素材、例えばクロロプレンゴム、シリコンゴム、フッ素系ゴムやＥＰＤＭゴムといった素材で構成される。また、弁体２６は全体として厚み方向に弾性を有しておればよいので、弁体２６全体をこれらのゴム材料で構成することができる。
【００４１】
また、弁体２６を弁板２６ａと弾性体２６ｂで個別に構成することができる。弁板２６ａおよび弾性体２６ｂは上記のゴムを用いることができるが、弾性体２６ｂとしては、発泡ゴムとすることができる。特に独立発泡ゴムは弾性力の時間による低下が少ないので好ましい。
【００４２】
また、弁板２６ａを弾性に富まない、ポリエチレンシートや硬度の高いゴム板とし、その上に弾性に富んだ発泡ゴム等の弾性体２６ｂを積層した構造としてもよく、また弁板２６ａと弾性体２６ｂとを張り合わせたものであってもよい。
【００４３】
また、底壁２３と弁体２６との張り付く場合があり、このような張り付きを抑制するため、必要に応じてシリコンオイルやフッ素オイル等の液体潤滑剤をこれらの接触面に塗布する。
【００４４】
側壁２４と押え板２７との固定は、押え板２７外周に嵌合用凸部２７ｂと側壁２４に嵌合用凹部２５ａとを設け、これらを嵌合して行うことができる。また、側壁２４と押え板２７を熱可塑性樹脂で形成し、これらを熱溶着によって固定することもできる。
【００４５】
なお、押え板２７には通気口２８を提供するための切欠２７ａを設けた例を示したが、通気口が得られればよいので、貫通孔としてもよい。但し、貫通孔とする場合は、後工程で穴あけ加工を要したり、成型により貫通孔を形成するとしても成型時のバリにより貫通孔が閉塞した状態となり、それを排除するための検査工程が必要となる場合もあるので、切欠２７ａとした方がより簡便で好ましい。
【００４６】
上記のような第２の実施形態による制御弁部２１の構成は、弁体２６として板状のものを用いるため、制御弁部２１の厚み寸法を小さくできるため、液口栓１３の小型化とこれによるコスト低減に有効である。
【００４７】
（第３の実施形態）
本発明の第３の実施形態は、前記した第１の実施形態の鉛蓄電池において、制御弁部として図４に示す制御弁部４１を備えた鉛蓄電池である。
【００４８】
制御弁部４１は、排気孔４２を有した底壁４３と、この底壁４３周囲に設けられた側壁４４と、排気孔４２の開口部から側壁４４の突出方向と同方向に突出して設けた弁筒４５と、この弁筒４５に装着されたキャップ状弁体４６と、キャップ状弁体４６の天面上方に配置され、かつその一部が側壁４４と接合された押え板２７とからなる。
【００４９】
なお、押え板２７の構成は第２の実施形態のものと同様のものを用いることができる。また必要に応じて、張り付き抑制のため、シリコンオイルやフッ素オイル等の液体潤滑剤をキャップ状弁体４６と弁筒４５の接触面に塗布する。
【００５０】
キャップ状弁体４６を用いる第３の実施形態では、第２の実施形態の制御弁部２１で用いたような、弾性体２６ｂを用いることがない。弾性体２６ｂを長期間圧縮状態とした場合、その反発力が低下し、弁体２６と底壁２３との密着性にばらつきが生じる場合がまれにあるが、第３の実施形態では、そのような密着性のばらつきとこれによる開弁圧のばらつきを第２の実施形態のそれに比較して、低く抑制できる。
【００５１】
しかしながら、弁筒４５を形成する分、制御弁部４１の厚み寸法が増加する傾向にあるので、制御弁部４１の厚み寸法をより小型化したい場合には、第２の実施形態が好ましい。なお、上述の第２の実施形態および第３の実施形態として、板状やキャップ状の弁体を用いたものを示したが、他の構造の弁体を用いることもできる。
【００５２】
（第４の実施形態）
図５は、本発明の第４の実施形態の鉛蓄電池５０の要部断面を示す図である。本発明の鉛蓄電池５０は、前記した第１〜第３の実施形態の鉛蓄電池において、液口栓１３の本体筒２０内において、通気孔１２と制御弁部２１（もしくは制御弁部４１）との経路上に通気性を有した多孔質フィルタ５１を配置したことを特徴とする。
【００５３】
多孔質フィルタ５１は電池外部から、制御弁部２１（４１）への埃や砂粒等の異物の落下を防止し、制御弁の開弁動作を安定化することができる。また、電池外ｄで発生した炎や電気スパークが排気孔２２周辺に存在する酸素・水素ガスに引火した場合、引火炎が制御弁部２１（４１）まで到達し、制御弁部を損傷する場合があるが、多孔質フィルタ５１を配置することにより、引火炎の制御弁部２１（４１）への到達が抑制され、引火炎による制御弁部の損傷を抑制することができる。
【００５４】
なお、多孔質フィルタ５１の孔径として、埃や砂粒等の異物による目詰まりや、引火炎の透過抑制効果および酸素・水素ガスの透過速度を勘案して決定すればよく、例えば、平均径が数十〜数百μｍのものを用いることができる。また、材質としては、アルミナ粉やポリエチレン樹脂、ポリプロピレン樹脂あるいはこれら樹脂の共重合体の粉体を焼結し、必要に応じて、撥水処理を施したものを用いることができる。
【００５５】
多孔質フィルタ５１の寸法形状としては制御弁部２１（４１）とほぼ同径の円盤状とし、本体筒２０内に多孔質フィルタ５１を装着し、その後、制御弁部２１（４１）を本体筒２０内に装着固定すればよい。このような構成では、制御弁部２１（４１）が多孔質フィルタ５１の本体筒２０からの脱落を防止する固定部材としての作用を有するため、多孔質フィルタを別途固定する必要がなく、好ましいものである。
【００５６】
また、多孔質フィルタ５１をあらかじめ、押え板２７上に接着や溶着等により固定しておくこともできる。
【００５７】
（第５の実施形態）
図６は、本発明の第５の実施形態による鉛蓄電池の制御弁部６１の断面を示す図である。本発明の第５の実施形態による鉛蓄電池は、第２から第３の実施形態による鉛蓄電池において、押え板２７として多孔質フィルタ６２を用いるものである。
【００５８】
この場合、多孔質フィルタ６２は、第４の実施形態における多孔質フィルタ５１の防爆防塵機能と、弁体を保持する押え板２７としての機能を有するため、これらを個別に設ける必要がなく、部品点数削減による、顕著なコスト削減効果が得られ、極めて好ましい構造である。
【００５９】
なお、この場合、多孔質フィルタ６２として、前記した多孔質フィルタ５１と同様のものを用いることができる。
【００６０】
また、多孔質フィルタ６２はそれ自身が通気性を有しているため、押え板２７に通気経路を設定するために設けた切欠２７ａを設ける必要はない。また、この場合、多孔質フィルタ６２の外側が通気口２８として作用する。
【００６１】
（第６の実施形態）
図７は、本発明の第６の実施形態による鉛蓄電池７０の断面を示す図である。本発明の第６の実施形態による鉛蓄電池７０は、本発明の第１〜第５の実施形態による鉛蓄電池において、本体筒２０内において、排気孔２２に対向した防沫板７１を配置したことを特徴とするものである。なお、図７では、第２の実施形態による鉛蓄電池に適用した例を示している。
【００６２】
本発明の鉛蓄電池では、極板群から遊離した電解液を殆ど有さない制御弁式鉛蓄電池と異なり、極板面全部を浸漬する電解液が存在するため、電池に加えられる振動によって、液面が揺動し、電解液が制御弁部２１（４１，６１）に付着する場合がある。
【００６３】
このような場合、制御弁部２１（４１，６１）の開弁動作が阻害される場合がある。すなわち、電解液中の硫酸分により弁体２６（キャップ状弁体４６）が底壁２３（４３）と張り付き、開弁圧が異常に高くなったり、固着する場合である。
【００６４】
上記したような構成によれば、制御弁部２１（４１，６１）への硫酸の付着を抑制することにいより、電解液中の硫酸分による弁体２６（キャップ状弁体４６）と底壁２３（４３）との張り付きを抑制し、開弁圧を安定させることができ、好ましい。また、同時に電解液ミストの弁体２６近傍への上昇が抑制されるため、開弁時における電解液ミストの電池外への散逸を抑制し、減液量をさらに低減できる。
【００６５】
防沫板７１の配置方法としては、様々な方式が考えられるが、図７に示したように、ベース部７４から支柱７５を設け、この支柱７５に防沫板７１を設けた防沫部材を本体筒２０内に挿入し、ベース部７４と本体筒２０の内壁で嵌合係止する構成を用いることができる。
【００６６】
なお、排気孔２２に対向した防沫板７１に加えて、傾斜した傾斜防沫板７２ａ，７２ｂ，７２ｃを設けることも有効である。このような傾斜した防沫板は、電解液の上昇を阻害するとともに、一旦上昇した電解液を下部に還流する作用を有する。還流した電解液は開口部７３より液口栓１３から排出される。
【００６７】
なお、図７では傾斜防沫板を３対配置した例を示したが、必要に応じて枚数を増減することができる。なお、防沫板７１は排気孔２２に近接させて配置することにより、電解液ミストの散逸による減液を抑制することができる。
【００６８】
しかしながら、近接しすぎると、防沫板７１表面で電解液ミストが結露することによって生じた電解液滴が排気孔２２に付着するため、液滴の成長を勘案し、防沫板７１と排気孔２２との間に距離を設けることが必要である。液滴のサイズは、電解液比重や、電解液中の添加物（硫酸ナトリウム）の有無およびその濃度、あるいは防沫素材とその表面状態により変動する防沫板表面の濡れ性によって異なるため、事前評価により、適切な隔離距離を置くことが必要である。通常は０．５ｍｍ〜１．０ｍｍ程度の距離で設定することができる。
【００６９】
上記のような本発明の実施形態によれば、制御弁部と本体筒を別部品で構成するため、制御弁構造の有無にかかわらず、本体筒を共用できるため、部品単価を低減でき、鉛蓄電池の製造コストを削減することができる。
【実施例】
【００７０】
本発明の効果は、上述の本体筒共用を可能とすることによる製造コスト削減効果であるが、特に、第７の実施形態においては、電解液ミストの制御弁部２１（４１）近傍への上昇が抑制されるため、開弁時における電解液ミストの電池外への散逸を抑制し、減液量をさらに低減する効果を有する。本実施例ではその効果について説明する。
【００７１】
以下に示す比較例および本発明例の鉛蓄電池（ＪＩＳ  Ｄ５３０１における５５Ｂ２４形始動用鉛蓄電池）を作成し、車両用として用いられた場合を想定して、鉛蓄電池に振動を加えながら充放電をおこなった時の減液量を評価した。
【００７２】
（比較例の電池Ａ）
比較例の電池Ａは図１に示した本発明の第２の実施形態の鉛蓄電池１０から、制御弁部２１を取り除いた電池である。
【００７３】
（比較例の電池Ｂ）
比較例の電池Ｂは比較例の電池Ａの液口栓本体筒内に図７で示した形状の防沫板７１を装着した電池である。
【００７４】
（本発明例の電池Ｃ）
本発明例の電池Ｃは、図１および図２に示した第２の実施形態による鉛蓄電池である。
【００７５】
（本発明例の電池Ｄ）
本発明例の電池Ｄは、図７に示した本発明の第６の実施形態による鉛蓄電池である。
【００７６】
上記の各試験電池はいずれも多孔質フィルタを有さないものとし、以下に示す試験条件で減液量の評価を行った。
【００７７】
試験温度：７５℃
振動条件：上下方向、スイープ加振（振動周波数５Ｈｚ〜４０Ｈｚ／５分）
加速度を１Ｇ
充放電条件：放電２５Ａ×１分、充電１４．８Ｖ×１０分（最大充電電流２５Ａ）
上記の充放電サイクルを４３２０サイクル行った時の減液量の測定を行った。減液量の測定は、１週間（４８０サイクル毎）に上限線（図１における線Ｂ：試験開始時の電解液面に一致）まで水を補給した。なお、１週間内で液面が下限線（図１における線Ａ：ストラップ１上面線に一致）未満に低下した場合には、追加で補水を行った。試験電池毎に４３２０サイクル中の全補水量を減液量とした。これらの減液量の測定結果を表１に示す。
【００７８】
【表１】
2006294290.tif 000003
【００７９】
表１に示した結果から、本発明例の電池は、比較例の電池と比較して、減液量を抑制する効果が顕著に得られていることができる。また、防沫板の効果は比較例の電池よりも本発明例の電池により顕著に現れており、防沫板と制御弁部を両方配置することにより、相乗的な効果を得ることができる。比較例では、振動によって、電池内の電解液ミストや水蒸気が比較的電池外部に散逸しやすく、減液量が増大している。
【００８０】
一方、本発明例では、電解液ミストや水蒸気は制御弁部によって電池外への散逸が抑制され、特に、防沫板を設けた電池Ｄでは、電解液ミストが防沫板に付着して結露し、電池下部に還流するため、極めて優れた減液抑制効果を得ることができる。
【産業上の利用可能性】
【００８１】
以上、本発明によれば、弁構造を備えた液口栓とこれを備えた鉛蓄電池をより安価に提供することができ、始動用鉛蓄電池に好適である。
【図面の簡単な説明】
【００８２】
【図１】本発明の鉛蓄電池の要部断面を示す図
【図２】制御弁部の断面を示す図
【図３】制御弁部の各構成要素を示す組立図
【図４】第３の実施形態による鉛蓄電池の制御弁部の断面を示す図
【図５】第４の実施形態による鉛蓄電池の要部断面を示す図
【図６】第５の実施形態による鉛蓄電池の制御弁部の断面を示す図
【図７】第６の実施形態による鉛蓄電池の要部断面を示す図
【符号の説明】
【００８３】
１    ストラップ
２    パッキン
１０    鉛蓄電池
１１    液口
１２    通気孔
１３    液口栓
１４    蓋
１５    電槽
１６    正極板
１７    負極板
１８    セパレータ
１９    電解液
２０    本体筒
２１    制御弁部
２２    排気孔
２３    底壁
２４    側壁
２５    弁収納体
２５ａ  嵌合用凹部
２６    弁体
２６ａ  弁板
２６ｂ  弾性体
２７    押え板
２７ａ  切欠
２７ｂ  嵌合用凸部
２８    通気口
４１    制御弁部
４２    排気孔
４３    底壁
４４    側壁
４５    弁筒
４６    キャップ状弁体
５０    鉛蓄電池
５１    多孔質フィルタ
６１    制御弁部
６２    多孔質フィルタ
７０    鉛蓄電池
７１    防沫板
７２ａ，７２ｂ，７２ｃ  傾斜防沫板
７３    開口部
７４    ベース部
７５    支柱
【図１】
2006294290.tif 000004
【図２】
2006294290.tif 000005
【図３】
2006294290.tif 000006
【図４】
2006294290.tif 000007
【図５】
2006294290.tif 000008
【図６】
2006294290.tif 000009
【図７】
2006294290.tif 000010